(57)【要約】【課題】  水の補給に際しコンパクトな形状で取り扱い性がよく、発錆を抑制する空気清浄機を提供する。【解決手段】  ミストを発生させる電極ユニットと、該電極ユニットに水を供給する水溜めユニットとを備え、前記水溜めユニットは水を溜める水溜め部と、該水溜め部の水を前記電極ユニットに供給するための第一の搬送部材とを有し、前記電極ユニットはミストを放出する霧化用放出ピンと、前記第一の搬送部材と接触して前記水溜めユニットから供給される水を受け、前記霧化用放出ピンに水を搬送する第二の搬送部材とを有し、前記第一の搬送部材と前記第二の搬送部材とは分離可能であると共に、前記水溜めユニットは前記電極ユニットから着脱自在に取り付けた。【選択図】図２
2009106820.tif 000002
【特許請求の範囲】
【請求項１】
気流を発生させるファンと該ファンを駆動するファンモータとを収容する空気清浄機本体と、該空気清浄機本体に装着され空気に含まれた塵埃を捕集するフィルタユニットとを備えた空気清浄機において、
前記空気清浄機本体には、
ミストを発生させる電極ユニットと、該電極ユニットに水を供給する水溜めユニットとを備え、
前記水溜めユニットは水を溜める水溜め部と、該水溜め部の水を前記電極ユニットに供給するための第一の搬送部材とを有し、
前記電極ユニットはミストを放出する霧化用放出ピンと、前記第一の搬送部材と接触して前記水溜めユニットから供給される水を受け、前記霧化用放出ピンに水を搬送する第二の搬送部材とを有し、
前記第一の搬送部材と前記第二の搬送部材とは分離可能であると共に、前記水溜めユニットは前記電極ユニットから着脱自在に取り付けられていることを特徴とする空気清浄機。
【請求項２】
請求項１において、
前記第一の搬送部材と前記第二の搬送部材は不織布より構成されていることを特徴とする空気清浄機。
【発明の詳細な説明】
【技術分野】
【０００１】
本発明は空気清浄機に関する。
【背景技術】
【０００２】
従来の空気清浄機は、例えば、特開２００４−３５８３６４号公報（特許文献１）に示すように、静電霧化装置が空気清浄機本体より着脱できるユニット構造により、水補給や清掃作業を容易にすることが知られている。また、この静電霧化装置には、霧化を促進させる電極が備わっており、放出量やその効率から電極形状は先端が鋭角なものが多く、水補給や清掃時に誤って触れることによるけがの防止や、電極の破損を防止するような電極の保護構造を有している。また、空気清浄機本体から静電霧化装置への電圧を供給するために、空気清浄機本体と静電霧化装置との間には、金属製の接触片をそれぞれに設け、静電霧化装置が取り付けられた時に短絡するような構造を有している。そのため、静電霧化装置の外側にこの金属の接触片が設けられており、先述した水補給時や清掃時などにこの金属の接触片に水が付着し発錆の要因となる。
【０００３】
上記のことより、静電霧化装置へ水溜め部から水の搬送を行う構造で、水溜め部へ水を補給する際、空気清浄機本体から着脱可能な構造においては、電極保護構造や静電霧化装置の電気的短絡部への水付着による発錆防止構造が必要で、そのため着脱できる静電霧化装置が大型となり、手軽な水補給や清掃性が困難となることはさけられない。
【０００４】
【特許文献１】特開２００４−３５８３６４号公報
【発明の開示】
【発明が解決しようとする課題】
【０００５】
静電霧化装置を搭載した空気清浄機では、静電霧化装置へ水溜め部から水の搬送を行う構造で、水溜め部へ水を補給する際、空気清浄機本体から着脱可能な構造においては、電極保護構造や静電霧化装置の電気的短絡部への水付着による発錆防止構造が必要で、そのため着脱できる静電霧化装置が大型となり、手軽な水補給や清掃性が困難となる。
【０００６】
本発明は、上記の問題に鑑み、水の補給に際しコンパクトな形状で取り扱い性がよく、発錆もおさえることで信頼性の高い空気清浄機を提供することを目的とする。
【課題を解決するための手段】
【０００７】
本発明は、気流を発生させるファンと該ファンを駆動するファンモータとを収容する空気清浄機本体と、該空気清浄機本体に装着され空気に含まれた塵埃を捕集するフィルタユニットとを備えた空気清浄機において、前記空気清浄機本体には、ミストを発生させる電極ユニットと、該電極ユニットに水を供給する水溜めユニットとを備え、前記水溜めユニットは水を溜める水溜め部と、該水溜め部の水を前記電極ユニットに供給するための第一の搬送部材とを有し、前記電極ユニットはミストを放出する霧化用放出ピンと、前記第一の搬送部材と接触して前記水溜めユニットから供給される水を受け、前記霧化用放出ピンに水を搬送する第二の搬送部材とを有し、前記第一の搬送部材と前記第二の搬送部材とは分離可能であると共に、前記水溜めユニットは前記電極ユニットから着脱自在に取り付けられていることを特徴とする。
【発明の効果】
【０００８】
本発明によれば、水の補給に際しコンパクトな形状で取り扱い性がよく、発錆もおさえることで信頼性の高い空気清浄機を提供することができる。
【発明を実施するための最良の形態】
【０００９】
本発明の実施例について、図面を引用して説明する。
【００１０】
まず、空気清浄機の概要について、図１を引用して述べる。
【００１１】
空気清浄機本体１０１は、主部枠体１０２と後部枠体１０３を有する。主部枠体１０２の前面には、前パネル１０４が取り付けられる。
【００１２】
空気清浄機本体１０１は、内部にフィルタユニット１０５，気化フィルタユニット１０６，ファンモータ１０７を備える。フィルタユニット１０５，気化フィルタユニット１０６は、主部枠体１０２側に位置する。ファンモータ１０７は、後部枠体１０３側に位置する。ファンモータ１０７は、ターボファン１０７ａ，電動機１０７ｂを有する。
【００１３】
後部枠体１０３は、内部にファンケーシング１０８を有する。ファンケーシング１０８内にファンモータ１０７が置かれる。ターボファン１０７ａに吸い込み流を導く吸い込み案内口部材１０９は、主部枠体１０２に形成される。
【００１４】
制御装置１１０は、主部枠体１０２の前側上部に備えられる。この制御装置１１０により、空気清浄機の運転が制御される。表示装置（図示せず）は、制御装置１１０の近くに設けられる。
【００１５】
空気は、前パネル１０４の吸気口１１１から吸い込まれ、フィルタユニット１０５内を流通することにより、空気中の臭いなどが除去される。風路上に設置された気化フィルタユニット１０６により、空気に水分を加湿することができる。
【００１６】
また、ファンモータ１０７に吸い込まれた空気は、送風口１１２から空気清浄機の外部に送風される直前に設置され、その直前に設置された静電霧化装置１１３により、霧化したミストを放出することができる。
【００１７】
図２及び図３を用いて静電霧化装置１１３について説明する。本実施例の静電霧化装置１１３は、ミストを放出する霧化用放出ピン２０５，霧化用放出ピン２０５に水を搬送する第二の搬送部材２０６，霧化用放出ピン２０５と電気的に接続する接触片２０７，対向電極２０８，電極２０９等からなり、霧化したミストを放出する電極ユニット３００と、水溜め部２０１，蓋２０２，第一の搬送部材２０３，補強部材２０４等からなり、電極ユニットに水を供給する水溜め部ユニット３０１より構成されている。水溜めユニット３０１は、電極ユニット３００から着脱自在に取り付けられている。
【００１８】
水溜めユニット３０１は、水溜め部２０１に水を入れ、ゴム製の水溜め部の蓋２０２をすることで水封される。蓋２０２は、電極ユニット３００に水を供給する第一の搬送部材２０３と一体となっており、水溜め部２０１の水の中に浸水している状態となっている。第一の搬送部材２０３はフェルト等の不織布で形成され、機械的強度や手垢などの汚れから保護するために樹脂製の補強部材２０４で覆われている。これらの部品は、図３に示すように、ユニットとして空気清浄機本体１０１より着脱できる構造となっている。水の補給や水溜め部２０１の清掃の際は、このユニットを空気清浄機本体１０１より上方に取り外した後、蓋２０２を水溜め部２０１より外して行うため、作業が容易である。
【００１９】
一方で、空気清浄機本体１０１の主部枠体１０２には、電極ユニット３００の一部を構成するミストを放出（静電霧化）させる霧化用放出ピン２０５が第二の搬送部材２０６に差し込むように固定されている。この第二の搬送部材２０６は第一の搬送部材２０３から供給される水を受けるものであり、この第二の搬送部材２０６も第一の搬送部材２０３と同様フェルト等の不織布で形成されており、この第二の搬送部材２０６と第一の搬送部材２０３は接触している。そのため水溜め部２０１の水が第一の搬送部材２０３から第二の搬送部材２０６を経て霧化用放出ピン２０５にまで到達し、水分を含んだ状態となる。また、第二の搬送部材２０６は、金属製の接触片２０７の上に置かれたように配置され高電圧を印加されることが可能な構造となっている。また、この霧化用放出ピン２０５に対向する形で金属製の対向電極２０８が配置されている。この他にもイオン発生を目的とした電極２０９が、霧化用放出ピン２０５と同電位で位置している。第二の搬送部材２０６と第一の搬送部材２０３とは分離可能となっている。第二の搬送部材２０６と第一の搬送部材２０３との接続は、第二の搬送部材２０６の上部と第一の搬送部材２０３の下部とが接触し、給水経路が確保されている。このため、水溜めユニット３０１は電極ユニット３００から上方に向かって引き抜くことで簡単に取り外すことができる。また、電極ユニット３００と水溜めユニット３０１とは、水を搬送する第二の搬送部材２０６と第一の搬送部材２０３とでのみ接続されているので、電気的な接続を必要としない。本実施例では電気的な接続を必要しないので、安全性が向上し、装置が大型化するのを抑制できる。
【００２０】
このように、主部枠体１０２に霧化用放出ピン２０５，対向電極２０８や電極２０９が固定された状態なので、先述のユニット着脱において、霧化用放出ピン２０５などによるけがや破損、その他にも汚れ付着防止，対向電極２０８との水滴による電気的短絡による漏電なども防ぐことが可能となる。また、霧化用放出ピン２０５が保有している水分量と霧化したミスト放出量は少なく、水垢の付着などによる清掃は行う必要がない。しかし、水溜め部２０１には常に水が蓄えられており、定期的な清掃などを行わないと雑菌やカビの発生へとつながる。
【図面の簡単な説明】
【００２１】
【図１】本発明の一実施例に係る空気清浄機の断面図である。
【図２】本発明の一実施例に係る静電霧化装置の概略図である。
【図３】本発明の一実施例に係る静電霧化装置の概略図である。
【符号の説明】
【００２２】
１０１  空気清浄機本体
１１３  静電霧化装置
２０１  水溜め部
２０２  蓋
２０３  第一の搬送部材
２０４  補強部材
２０５  霧化用放出ピン
２０６  第二の搬送部材
２０７  接触片
２０８  対向電極
２０９  電極
【図１】
2009106820.tif 000003
【図２】
2009106820.tif 000004
【図３】
2009106820.tif 000005